(57)【要約】      （修正有）【課題】本考案は、木製の置物、特に立体感と変化があり、また芳香の放散が効果的だけでなく、多様な表示が可能な木製の置物を提供する。【解決手段】木製の置物における木製の本体部１は、前面部２と、裏面部と、前面部と裏面部との厚み幅を形成する周面部４とを備え、前面部２には有意の表示Ａと、表示Ａに対応するものとして、使用者による表示が予定されている表示Ａの関連事項の表示欄とが設けられ、周面部４は少なくともその一部が前面部側への下降傾斜面Ｆを有し、かつ下降傾斜面Ｆは少なくとも一部が起伏域Ｅを含み、本体部１を前面部側から見たとき起伏域Ｅが視認される。【選択図】図１
0003204026.tif 000002
【実用新案登録請求の範囲】
【請求項１】
木製の本体部は、前面部と、裏面部と、前面部と裏面部との厚み幅を形成する周面部とを備え、前面部には有意の表示Ａと、表示Ａに対応するものとして、使用者による表示が予定されている表示Ａの関連事項の表示欄Ｂとが設けられていることを特徴とする木製の置物。
【請求項２】
木製の本体部は、前面部と、裏面部と、前面部と裏面部との厚み幅を形成する周面部とを備え、前面部には有意の表示Ａが表示される一方、裏面部には表示Ａに対応するものとして、使用者による表示が予定されている表示Ａの関連事項の表示欄Ｂが設けられていることを特徴とする木製の置物。
【請求項３】
木製の本体部は、前面部と、裏面部と、前面部と裏面部との厚み幅を形成する周面部とを備え、前面部には有意の表示Ａと、表示Ａに対応するものとして、使用者による表示が予定されている表示Ａに関する関連事項の表示欄Ｂとが設けられ、前記周面部は少なくともその一部が前面部側への下降傾斜面Ｆを有し、かつ下降傾斜面Ｆは少なくとも一部が起伏域Ｅを含み、本体部を前面部側から見たとき起伏域Ｅが視認されることを特徴とする木製の置物。
【請求項４】
木製の本体部は、前面部と、裏面部と、前面部と裏面部との厚み幅を形成する周面部とを備え、前面部には有意の表示Ａが表示される一方、裏面部には表示Ａに対応するものとして、使用者による表示が予定されている表示Ａに関する関連事項の表示欄Ｂが設けられ、前記周面部は少なくともその一部が前面部側への下降傾斜面Ｆを有し、かつ下降傾斜面Ｆは少なくとも一部が起伏域Ｅを含み、本体部を前面部側から見たとき起伏域Ｅが視認されることを特徴とする木製の置物。
【請求項５】
前記本体部は、前面部と裏面部と周面部とを備えるほぼ方形状の立方体であり、周面部は両側面部、上面部、座面部を有し、前面部には有意の表示Ａとして特定のテーマ「夢」の文字が表示され、裏面部には表示Ａのテーマ「夢」に対応するとともに、使用者による表示が予定されている特定のテーマに関する関連事項の表示欄Ｂとして「Ｍｙ  Ｄｒｅａｍ」欄、氏名欄、日付欄が設けてあることを特徴とする請求項２に記載の木製の置物。
【請求項６】
前記本体部は、少なくとも前面部に節が現れる一枚の板目材で形成されており、互いの位置合わせにより連続して配置されたとき、本体部の前面部において、節、木目が全体として連続状態で現れることを特徴とする請求項３又は４に記載の木製の置物。
【請求項７】
前記本体部は、周面部を遊嵌状に保持する凹部を設けた支持部と組み合わされ、支持部に取り外し可能に支持されるとともに、周面部に沿い摺動される支持部により、本体部における節の部分が凹部と接触して摩擦されることを特徴とする請求項３又は４に記載の木製の置物。
【考案の詳細な説明】
【技術分野】
【０００１】本考案は、木製の置物、特に立体感と変化があり、また芳香の放散が効果的だけでなく、多様な表示が可能な木製の置物に関する。
【背景技術】
【０００２】従来、木材を加工した木製の置物は種々に存在する。しかし木製の置物、特に立体感と変化があり、また芳香の放散が効果的だけでなく、多様な表示、例えば、使用者による追加の表示を予定した置物はない。従来の具体例としては、樹皮を除去した木材表面に化粧模様が付されてなる木製装飾体がある（実用新案登録第３１５１４５９号）。しかしこれは装飾体として完成されたものであり、使用者による追加の表示等のような多様な表示はできない。
【先行技術文献】
【０００３】
【特許文献】
【特許文献】登録実用新案公報  実用新案登録第３１５１４５９号
【考案の概要】
【考案が解決しようとする課題】
【０００４】本考案の解決しようとする課題は、立体感と変化があり、芳香が効果的に放散されるだけでなく、多様な表示、例えば、使用者による追加の表示が可能な木製の置物を提供することにある。
【課題を解決するための手段】
【０００５】上記課題を解決するための手段として本考案にかかる木製の置物は、木製の本体部は、前面部と、裏面部と、前面部と裏面部との厚み幅を形成する周面部とを備え、前面部には有意の表示Ａと、表示Ａに対応するものとして、使用者による表示が予定されている表示Ａに関する関連事項の表示欄Ｂとが設けられている。【０００６】また、木製の本体部は、前面部と、裏面部と、前面部と裏面部との厚み幅を形成する周面部とを備え、前面部には有意の表示Ａが表示される一方、裏面部には表示Ａに対応するものとして、使用者による表示が予定されている表示Ａに関する関連事項の表示欄Ｂが設けられている。【０００７】また、木製の本体部は、前面部と、裏面部と、前面部と裏面部との厚み幅を形成する周面部とを備え、前面部には有意の表示Ａと、表示Ａに対応するものとして、使用者による表示が予定されている表示Ａに関する関連事項の表示欄Ｂとが設けられ、前記周面部は少なくともその一部が前面部側への下降傾斜面Ｆを有し、かつ下降傾斜面Ｆは少なくとも一部が起伏域Ｅを含み、本体部を前面部側から見たとき起伏域Ｅが視認される。【０００８】また、木製の本体部は、前面部と、裏面部と、前面部と裏面部との厚み幅を形成する周面部とを備え、前面部には有意の表示Ａが表示される一方、裏面部には表示Ａに対応するものとして、使用者による表示が予定されている表示Ａに関する関連事項の表示欄Ｂが設けられ、前記周面部は少なくともその一部が前面部側への下降傾斜面Ｆを有し、かつ下降傾斜面Ｆは少なくとも一部が起伏域Ｅを含み、本体部を前面部側から見たとき起伏域Ｅが視認される。【０００９】また、前記本体部は、前面部と裏面部と周面部とを備えるほぼ方形状の立方体であり、周面部は両側面部、上面部、座面部を有し、前面部には有意の表示Ａとして特定のテーマ「夢」の文字が表示され、裏面部には表示Ａのテーマ「夢」に対応するとともに、使用者による表示が予定されている特定のテーマに関する関連事項の表示欄Ｂとして「Ｍｙ  Ｄｒｅａｍ」欄、氏名欄、日付欄が設けてある。【００１０】また、前記本体部は、少なくとも前面部に節が現れる一枚の板目材で形成されており、互いの位置合わせにより複数個が連続して配置されたとき、本体部の前面部において、節、木目が全体として直列方向に連続状態で現れる。【００１１】そして、前記本体部は、周面部を遊嵌状に保持する凹部を設けた支持部と組み合わされ、支持部に取り外し可能に支持されるとともに、周面部に沿い摺動される支持部により、本体部における節の部分が凹部と接触して摩擦される。
【図面の簡単な説明】
【００１２】
【図１】本考案に係る木製の置物の正面図である。
【図２】同置物の背面図である。
【図３】同置物の右側面図である。
【図４】同置物の左側面図である。
【図５】同置物の平面図である。
【図６】同置物の底面図である。
【図７】図１におけるＸ−Ｘ線に沿う切断部端面図である。
【図８】他の木製の置物の正面図である。
【図９】同他の木製の置物の背面図である。
【図１０】同他の木製の置物の右側面図である。
【図１１】同他の木製の置物の左側面図である。
【図１２】図８におけるＹ−Ｙ線に沿う切断部端面図である。
【図１３】同他の木製の置物の平面図である。
【図１４】同他の木製の置物の底面図である。
【図１５】１枚の板目材を説明的に示す正面図である。
【図１６】３個の本体部が連続して配置された状態を示す正面図である。
【図１７】同３個の本体部が連続して配置された状態を示す背面図である。
【図１８】同３個の本体部が分離して配置された状態を示す正面図である。
【図１９】同３個の本体部を分離して配置された状態を示す背面図である。
【図２０】さらに他の木製の置物の正面図である。
【図２１】同さらに他の木製の置物の背面図である。
【図２２】同さらに他の木製の置物における本体部の支持状態を示す部分的な側面図である。
【図２３】同さらに他の木製の置物における本体部から支持部を取外した状態を示す部分的な側面図である。
【考案を実施するための形態】
【００１３】本考案を実施するための形態について図面を参照して説明する。置物Ｄの本体部１は木製であり、檜材が最適である。しかし他の木材でもよい。木製（檜材）の本体部１にはフィトンチッド、ヒノキチオール等の芳香成分が含まれている。本体部１は三角状、その他の多角形状、円形状、不定形状等でありその形状は任意である。本体部１は、前面部２と、裏面部３と、周面部４とを備え、周面部４は前面部２と裏面部３と間の厚み幅を形成している。本体部１はほぼ方形状の立方体であり、前面部２と裏面部３が平面となっている。周面部４は、両側面部５と、上面部６と、下側周面部の座面部７を有し、座面部７は平面である。本体部１は置物Ｄとして通常、座面部７を台部１４等に当接して載置されるが、座面部７は平面に限定されない。また本体部１は支持部１３で支持してもよい（後述）。
【００１４】本体部１には多様な表示がなされる。その例（１）を示すと、本体部１は、前面部２と、裏面部３と、前面部２と裏面部３との厚み幅を形成する周面部４とを備え、本体部１の前面部２に有意の表示Ａと、表示Ａに対応する表示欄Ｂとが設けてある（請求項１、図２１参照）。すなわち有意の表示Ａと、表示Ａに対応する表示欄Ｂは同じ前面部２に表示される。表示欄Ｂには表示Ａに関連性のある内容、説明等、つまり表示Ａの関連事項を使用者が表示することが予定されている。表示Ａと表示欄Ｂの関連事項との組み合わせにより両者間の観念上の関連性が確認される。そこで前面部２の表示Ａを視認の後、表示欄Ｂの関連事項を確認することにより、表示Ａに対応する関連事項が直ちに認識される。
【００１５】他の例（２）では、本体部１は、前面部２と、裏面部３と、前面部２と裏面部３との厚み幅を形成する周面部４とを備え、本体部１の前面部２には有意の表示Ａが表示される一方、裏面部３には表示Ａに対応するものとして、表示Ａに関する関連事項の表示欄Ｂが設けてある（請求項２参照、図１参照）。すなわち、表示Ａと、表示Ａに対応する表示欄Ｂは、前・後面部２、３にそれぞれ表示される。表示欄Ｂには表示Ａに関する内容、説明等、つまり表示Ａの関連事項を使用者が表示することが予定されている。そこで前面部２の表示Ａを視認の後、裏面部３の表示欄Ｂの関連事項を確認することにより、表示Ａに対応する関連事項が直ちに認識される。
【００１６】  前記のように、本体部１は、前面部２と、裏面部３と、前面部２と裏面部３との厚み幅を形成する周面部４とを備える一方、周面部４は少なくともその一部が前面部側への下降傾斜面Ｆを有する。従って本体部１を前面部側から見たとき下降傾斜面Ｆが視認される。また下降傾斜面Ｆは少なくとも一部が起伏域Ｅを含む。従って本体部１を前面部側から見たとき、起伏域Ｅが視認される。これは上記の例（１）（２）において共通であり、その内容をさらに説明する。
【００１７】ほぼ方形状の立方体の本体部１では、周面部４は、両側面部５と上面部６と下側周面部の座面部７を有している。そして周面部４は少なくともその一部に前面部側への下降傾斜面Ｆを有する。周面部４の少なくとも一部とは、周面部４の全体だけでなくその一部、例えば、側面部の全体、或いはさらに側面部の一部が下降傾斜面Ｆであればよい。図１では本体部の一方の側面部５ａが下降傾斜面Ｆであり、図８では本体部の上面部６が下降傾斜面Ｆである。また図２０では一方の側面部５ａが下降傾斜面Ｆである。
【００１８】前面部側への下降傾斜面Ｆは周面部４の少なくともその一部に形成されるから、前面部側への下降傾斜面Ｆが存在する限り、周面部４の他の一部に後面部側への下降傾斜面、周方向への下降傾斜面等が部分的に混在してもよい（図示せず）。また下降傾斜面Ｆは常に周面部４の幅（前面部２と裏面部３間の幅）方向全体に亘り形成される必要はない（図示せず）。下降傾斜面Ｆの傾斜の態様、程度等は任意である。
【００１９】下降傾斜面Ｆは裏面部３側から前面部２側への下降傾斜面であるから、本体部１を前面部側から見たとき前面部側への下降傾斜面Ｆが視認される。これにより周面部４の厚み幅の存在が感得され、本体部１の立体感が強く印象づけられる。また本体部１の形態に変化を与えることができる。さらに下降傾斜面Ｆは非傾斜面（水平面）と比較したとき、外気との接触面積が相対的に大きく、本体部１の芳香の発散が効果的である。
【００２０】または下降傾斜面Ｆを含む周面部４は、さらに下降傾斜面Ｆの少なくとも一部が起伏域Ｅを含む構造とすることができる。起伏域Ｅとは、曲面、平面、凹凸等の任意な組み合わせからなり、表面全体が平面状ではなく、起伏状であることをいう。起伏の程度、態様、大きさ等は問わない。起伏域Ｅは下降傾斜面Ｆにあるから、前記の下降傾斜面Ｆと同じく、本体部の一方の側面部５ａの下降傾斜面Ｆに起伏域Ｅがあり（図１、２０参照）、また本体部の上面部６の下降傾斜面Ｆに起伏域Ｅがある（図８参照）。
【００２１】起伏域Ｅは下降傾斜面Ｆ４の少なくともその一部にあればよく、本体部１を前面部側から見たとき、下降傾斜面Ｆ４の起伏域Ｅが視認される。これにより周面部４の厚み幅の存在がより明瞭に感得され、本体部１の立体感が強く印象づけられる。また本体部１の形態に変化を与えることができる。さらに起伏域Ｅは平面と比較したとき、外気との接触面積が相対的に大きく、本体部１の芳香の発散が効果的である。
【００２２】本体部１は、少なくとも前面部２に節１０が現れる板目材１５で形成される。板目材１５は丸太材の直径方向と直角にノコギリを入れて作られ、表面に円形や楕円形の節１０が現れやすい。また木目１１も山形や筍形等の変化のあるものが現れる。節１０（その周辺部分を含む）は枝の元の部分が生育中に幹に取り込まれた組織であるから本来、樹脂分が多く含まれ比較的に芳香も強い。このような節１０や木目１１はみデザイン的に興味深いだけでなく、節１０からの芳香の放散が効果的である。
【００２３】有意の表示Ａについて制約はなく種々に選択が可能である。具体的には有意の表示Ａについて特定のテーマを選択して表示し、また、表示Ａ、特定のテーマに関する内容、説明等、つまり表示Ａに対応する関連事項の表示欄Ｂが設けてある。これを前記（１）の例でみると、本体部１はほぼ方形状の立方体であり、前面部２に有意の表示Ａとして特定のテーマ「夢」の文字が表示され、同じく前面部２に特定のテーマ「夢」に対応する関連事項の表示欄Ｂとして「Ｍｙ  Ｄｒｅａｍ」欄、氏名欄、日付欄が設けてある（請求項１、図２０参照）。
【００２４】また前記（２）の例では、本体部１はほぼ方形状の立方体であり、前面部２に有意の表示Ａとして特定のテーマ「夢」の文字が表示される一方、裏面部３には表示Ａのテーマ「夢」に対応する関連事項の表示欄Ｂとして「Ｍｙ  Ｄｒｅａｍ」欄、氏名欄、日付欄が設けてある（請求項２、図１、８参照）。
【００２５】上記いずれの場合も表示欄Ｂの関連事項は使用者による表示が予定されおり、使用者は、「Ｍｙ  Ｄｒｅａｍ」欄にテーマ「夢」（自己の夢）の具体的な内容等の関連事項、氏名欄にその氏名（又は名称）、日付欄に作成日をそれぞれ表示する。使用者は、前面部２の表示Ａの「夢」を視認の後、表示欄Ｂの関連事項である自己の夢の内容等を適宜に確認することができる。これにより特定のテーマ「夢」に対応する具体的な内容等は直ちに認識される。
【００２６】置物Ｄは、通常、前面部２を前方側、裏面部３を後方側にして配置されるから、前記（２）の例では、使用者が手で本体部１を持ち上げ前後を反転させると、前面部２の表示Ａに対応する裏面部３の表示欄Ｂの関連事項（例えば、テーマ「夢」の具体的な内容、説明等）が直ちに確認される。このように必要に応じ適宜に裏面部３に表示された関連事項を確認するという方法により自らのモチベーションを高めることができる。
【００２７】本件置物の使用者としては、個人、法人等の私的団体やその他公的団体等があり、また親子、夫婦、祖父母と孫、先生と生徒等のように複数の関係者であってもよい。会社のケースでは、例えば、前面部２の表示Ａとしてテーマの「夢」の文字を表示し、同じく前面部２に表示欄Ｂとして日付欄、社名欄、テーマの「夢」に関する内容、説明等の「関連事項欄」を設けることができる（図２０参照）。また使用の時期に関しては節目となる時期（例えば、誕生日、入学式、結婚日、卒業式、成人式、創立記念日等）での使用が有効であるが、特に限定はなく、状況に応じ適切な時期を選択すればよい。
【００２８】本体部１は、少なくとも前面部２に節１０が現れる一枚の板目材１５で形成される（図１５参照）。即ち本体部１は、節、木目を有する一枚の板目材１５を同じ方向（板材の長さ方向に対して垂直な方向）に分断されたものであり（分断線Ｚ）、必要な個数の本体部が形成される。ここでは分断により３個の本体部１が形成されている（図１８参照）。複数個の本体部１は、側面部同士の隣接による互いの位置合わせをおこない連続して配置することができる。この場合、本体部の前面部２では節１０、木目１１が全体として連続状態で現れる（図１６参照）。なお節１０、木目１１は正確な表現ではなく説明的な模式図であり、また本体部１が有する節１０、木目１１の図面上の表示は基本的に省略してある（以下同様）。
【００２９】複数個の本体部には複数の関係者が関与し、セットのように使用することができる。例えば、各本体部１の前面部２に表示Ａとしてテーマの「絆」の文字が表示される一方、裏面部３にはテーマの「絆」に対応する表示欄Ｂ、日付欄、氏名欄（２人の氏名欄）が設けてある。そこで新郎新婦が、表示欄Ｂにテーマ「絆」に関する想い等の関連事項、日付欄に作成の日付、氏名欄に新郎・新婦の名前を表示する。そして関係者である新郎新婦、新郎・新婦の両親がそれぞれ同じ表示の本体部１を１個ずつ保持し、置物として使用することができる。前記のように、３個の本体部１が連続状に配置されるとき、前面部２には全体として節、木目が連続状態で現れ、テーマ「絆」に相応しい構成となる。なお複数関係者の数に応じて、裏面部３にはテーマ「絆」に対応する関連事項の表示欄Ｂ、日付欄、氏名欄を複数個（３人の場合は３個）設け、各関係者が表示欄Ｂに関連事項等をそれぞれ表示してもよい（図示せず）。
【００３０】有意の表示Ａ、表示欄Ｂについては、表示の内容、対象、種類、方法、大きさ、位置、数等に制約はない。また有意の表示Ａ、表示欄Ｂに加えて付随的な表示も可能であり、表示Ａの特定のテーマについても１個である必要はない。表示Ａは文字、記号、図形、数字、絵柄、或いはその任意の組み合わせでもよく、また墨書、インク書，貼付、彫り付け等、表示の方法は問わない。
【００３１】本体部１は支持部１３と組み合わされ、支持部１３により支持される。支持部の使用は任意であるが、大型の本体部１の場合は支持部１３による支持が有効である。本体部１は支持部１３により台部１４等に載置され、置物Ｄとして使用される。支持部１３の個数は任意である。支持部１３の凹部１２の溝部分の幅は周面部４（例えば座面部７）の厚み幅より若干大きく、本体部１は、周面部４（図２０では座面部７）が支持部の凹部１２に遊嵌状に保持されている。従って支持部１３は本体部１からの取り外し可能である。
【００３２】周面部４に沿い摺動される支持部１３を介して本体部の節１０（周辺部を含む）が支持部の凹部１２と接触して摩擦される。本体部１には凹部１２と接触する範囲内に節１０があり、支持部１３と本体部の節１０との接触・摩擦により節１０からの芳香の発散が促進される。支持部１３は座面部７だけでなく、周面部４の他の面部、例えば、上面部６で摺動されてもよい（図２Ｃ参照）。即ち手で支持部１３を本体部１から取り外すとともに、凹部１２に所定の周面部４（上面部６）を保持するとともに、上面部６に沿って支持部１３で摺動される。摺動による接触・摩擦を円滑に行うために所定の周面部４は平面であることが好ましいが、多少の曲面でも差し支えない。また凹部１２に節１０が存在する場合は、本体部１と凹部１２に存在する節１０，１０同士の接触・摩擦により芳香の発散効果が高まる（図２３参照）。
【符号の説明】
【００３３】  １    本体部
２    前面部
３    裏面部
４    周面部
５    側面部
５ａ  一方の側面部
５ｂ  他方の側面部
６    上面部
７    座面部
１０  節
１１  木目
１２  凹部
１３  支持部
１４  台部
１５  板目材
Ａ    表示
Ｂ    関連事項の表示欄
Ｄ    置物
Ｅ    起伏域
Ｆ    下降傾斜面
Ｚ    分断線
【図１】
0003204026.tif 000003
【図２】
0003204026.tif 000004
【図３】
0003204026.tif 000005
【図４】
0003204026.tif 000006
【図５】
0003204026.tif 000007
【図６】
0003204026.tif 000008
【図７】
0003204026.tif 000009
【図８】
0003204026.tif 000010
【図９】
0003204026.tif 000011
【図１０】
0003204026.tif 000012
【図１１】
0003204026.tif 000013
【図１２】
0003204026.tif 000014
【図１３】
0003204026.tif 000015
【図１４】
0003204026.tif 000016
【図１５】
0003204026.tif 000017
【図１６】
0003204026.tif 000018
【図１７】
0003204026.tif 000019
【図１８】
0003204026.tif 000020
【図１９】
0003204026.tif 000021
【図２０】
0003204026.tif 000022
【図２１】
0003204026.tif 000023
【図２２】
0003204026.tif 000024
【図２３】
0003204026.tif 000025